(57)【要約】  本発明は、大略、少なくとも一部が放射線シールド材料からなる放射線をシールドされた囲いにアクセスするためのシステム及び方法に関する。例えば、本発明のあるシステムは、放射性医薬品を受け取るように形成した放射線シールド収容部と、該収容部内への開口に交差する、取外可能で、使い捨てされるカバーとを備える。カウンターフォース機構は、前記収容部、前記カバー、又は、これらの組み合わせに付勢して連結するようにしてもよい。このカウンターフォース機構は、カバーが開口に交差して配置される閉鎖位置と、開口が覆われていない開放位置とを含む位置の範囲を示す。
2009502344.tif 000002
【特許請求の範囲】
【請求項１】
第１放射線シールド材料を含む放射性医薬品収容部と、第２放射線シールド材料を含み、前記収容部内に開口に交差して移動可能な使い捨てのカバーと、前記放射性医薬品収容部、前記カバー、又は、これらの組み合わせに付勢された状態で連結されるカウンターフォース機構と、を備え、前記カウンターフォース機構は、前記カバーが前記開口を覆うように配置される閉鎖位置と、前記開口が開放される開放位置を含む、位置可能な範囲を備えた放射性医薬品システム。
【請求項２】
前記カウンターフォース機構は、リールと、リールの周囲に巻き戻し可能に巻き付けられ、放射性医薬品収容部、カバー、又は、これらの組み合わせに接続される紐部材と、を備える請求項１に係るシステム。
【請求項３】
さらに、前記放射性医薬品収容部内に配設される放射性医薬品容器を備え、前記紐部材は、前記放射性医薬品収容部に接続され、前記紐部材の張力は、放射性医薬品収容部及び放射性医薬品容器の全重量以下である請求項２に係るシステム。
【請求項４】
前記紐部材は、前記放射性医薬品収容部に接続され、前記紐部材の張力が前記放射性収容部の重量以下である請求項２に係るシステム。
【請求項５】
前記紐部材は、前記カバーに接続され、前記紐部材の張力が前記カバーの重量以下である請求項２に係るシステム。
【請求項６】
前記カウンターフォース機構は、回転アームと、前記回転アームにトルクを作用させる付勢装置とを備え、位置決め範囲は、前記回転アームの回転軸に対するアーチ状の経路を含む請求項１に係るシステム。
【請求項７】
前記付勢装置は、スプリング、ウェイト、又は、これらの組み合わせを含む請求項６に係るシステム。
【請求項８】
前記放射性収容部は、前記回転アームに連結され、前記アーチ状通路に沿って移動可能である請求項６に係るシステム。
【請求項９】
前記カバーは、前記回転アームに連結され、前記アーチ状の経路に沿って移動可能である請求項６に係るシステム。
【請求項１０】
前記回転アームは、前記アーチ状の経路に沿って移動可能な注射器サポートを備えた請求項９に係るシステム。
【請求項１１】
前記カバーは、注射器を支持するように設計された溝を備えた請求項９に係るシステム。
【請求項１２】
前記カウンターフォース機構が開放位置に位置するとき、前記開口に隣接して配置される注射器サポートを備えた請求項４に係るシステム。
【請求項１３】
前記カウンターフォース機構に連結されるフットペダルを備え、前記カウンターフォース機構は、前記フットペダルが第１位置に位置するとき、開放位置に位置し、前記フットペダルが前記第１位置とは異なる第２位置に位置するとき、前記閉鎖位置に位置する請求項１、２又は６に係るシステム。
【請求項１４】
前記カウンターフォース機構を、位置決め可能な範囲内の指定位置に保持するのに適したロック機構を備えた請求項１に係るシステム。
【請求項１５】
第１放射線シールド材料を含み、放射性医薬品を保持するように形成された放射性収容部と、第２放射線シールド材料を含み、前記収容部に向かう開口に交差し移動可能な使い捨てされるカバーと、前記放射性医薬品収容部、前記カバー、又は、これらの組み合わせに付勢力を付与する付勢機構と、前記付勢機構に連結される第１部、及び、前記放射性医薬品収容部、前記カバー、又は、これらの組み合わせに連結される第２部を備えた移動部材と、を備え、前記カバーは、前記移動部材が第１位置に位置するとき、第１距離にあり、前記移動部材が前記第１位置とは異なる第２位置に位置するとき、前記放射性医薬品保持部と前記放射性医薬品カバーの間の距離が前記第１距離よりも大きな第２距離である放射性医薬品ディスペンサー。
【請求項１６】
前記移動部材は、前記放射性医薬品保持部に連結される引き込み式の紐部材を備える請求項１５に係る放射性医薬品ディスペンサー。
【請求項１７】
さらに、連結リングを有するシースを備え、前記シースは、前記放射性医薬品保持部の少なくとも一部を中心として配置した請求項１５に係る放射性医薬品ディスペンサー。
【請求項１８】
前記移動部材は、連結ジョイントを有する回転アームを備え、前記第１部は、前記連結ジョイントに対して第１距離偏心し、前記第２部は、前記連結ジョイントに対して第２距離偏心した請求項１５に係る放射性医薬品ディスペンサー。
【請求項１９】
前記カバーは固定され、前記放射性医薬品保持部は前記移動アームと共に移動可能である請求項１８に係る放射性医薬品ディスペンサー。
【請求項２０】
前記放射性医薬品保持部は固定され、前記カバーは前記回転アームと共に移動可能である請求項１８に係る放射性医薬品ディスペンサー。
【請求項２１】
前記カバーに隣接して設けた注射器サポートを備え、前記注射器サポートは、前記回転アームと共に移動可能である請求項２０に係る放射性医薬品ディスペンサー。
【請求項２２】
前記移動部材は、前記カバー、前記保持部、又は、これらの組み合わせに回転可能に連結された回転アームを備えた請求項１５に係る放射性医薬品ディスペンサー。
【請求項２３】
前記付勢機構を押し止め、前記放射性医薬品保持部又はカバーのいずれか一方を、第１位置、第２位置、又は両位置の間の位置に保持するロック機構を備えた請求項１５に係る放射性医薬品ディスペンサー。
【請求項２４】
前記放射性医薬品保持部内に配設される、前記放射性医薬品のバイアルを備えた請求項１５に係る放射性医薬品ディスペンサー。
【請求項２５】
放射性シールド材料を備えた、放射性医薬品ディスペンサーの第１構成要素で、第１の方向に第１の力を付与する工程と、前記第１の方向にほぼ整列されたベクトル構成要素を有し、第２の力で第１の力を補助する工程と、を備え、前記第１の力の付与が放射性医薬品ディスペンサーの第２構成要素に対して第１構成要素を移動させるには不十分であり、前記第２構成要素は放射性シールド材料を備え、前記第１及び第２構成要素は、放射性医薬品を収容するように協働する放射性医薬品ディスペンサーを使用する方法。
【請求項２６】
前記第１の方向は、ほぼアーチ状である請求項２５に係る方法。
【請求項２７】
前記第１の方向は、ほぼ直線状である請求項２５に係る方法。
【請求項２８】
前記補助工程は、前記容器の内容物が注射器の針を使用してアクセスされる放射性医薬品容器の一部を露出させる工程を備える請求項２５に係る方法。
【請求項２９】
第１放射性シールド材料を備えた、ベースの放射性医薬品容器を支持する工程と、放射性医薬品カバーが放射性医薬品容器の開口を横切って延びる第１位置と、放射性医薬品カバーが放射性医薬品容器の開口から偏心した第２位置との間の移動通路に沿って、第２放射線シールド材料を備えた放射性医薬品カバーを移動可能に支持する工程と、前記第１位置に向かって放射性医薬品カバーを付勢する工程と、を備えた方法。
【請求項３０】
前記付勢工程は、回転中心の近傍で、カウンターフォース装置に対して放射性医薬品容器のカバーを利用する工程を備え、前記移動通路は、前記回転中心の近傍でほぼアーチ状である請求項２９に係る方法。
【請求項３１】
前記放射性医薬品カバーが放射性医薬品容器の開口から偏心した第２位置で、回転可能な構成で、放射性医薬品カバーに隣接する注射器を支持する工程を備えた請求項２９に係る方法。
【請求項３２】
前記注射器を支持する工程は、注射器と開口との間の略中心での連結のために、注射器を開口に整列させる工程を備えた請求項３１に係る方法。
【発明の詳細な説明】
【技術分野】
【０００１】
本発明は、大略、原子核医療の分野に関する。特に、本発明は、放射線シールド内に配置された容器から放射性材料に接近し、調剤し、及び／又は、抽出するシステム及び方法に関する。
【背景技術】
【０００２】
この欄は、読者に、後述するように記載され、及び／又は、クレーム化された、本発明の種々の態様に関係するような種々の技術分野の態様を紹介することを意図している。この議論は、本発明の種々の態様をよりよく理解することを容易にするために、読者に背景情報を提供するのに有用であると信じる。なお、これらの記述は、従来技術の承認としてではなく、知識として読まれるべきである。
【０００３】
放射性医薬品は、放射性材料を診断及び治療目的のために利用し、少量の放射性材料を患者に注射することにより、患者の所定の器官、あるいは、生物学的部位に集中する。一般に、原子核医療で使用される放射性材料には、テクネチウム９９ｍ、インジウム１１３ｍ、特に、ストロンチウム８７ｍが含まれる。ある放射性材料は、自然に特定の組織に集中し、例えば、ヨードでは甲状腺に集中する。しかしながら、放射性材料は、標識を付けるあるいは器官を探す薬剤に結合し、所望の器官又は生物学的部位を目標とする。一般に、これら放射性材料単独、あるいは、標識を付ける薬剤との結合は、原子核医療の分野で放射性医薬品として定義されている。相対的に低放射量の放射性医薬品では、放射線撮像システム（例えば、ガンマカメラ）を、放射性医薬品が結合又は付着する器官又は生物学的部位を撮像するのに使用してもよい。画像の不規則性は癌等の異常状態を示す。より高い放射量の放射性医薬品を、癌細胞等の異常細胞に、直接、治療用放射物を搬送するために使用してもよい。
【発明の開示】
【発明が解決しようとする課題】
【０００４】
原子核医療の診察では、安全は重要事項である。放射性同位体を生成し、放射性同位体を標識薬に合体し、放射性医薬品を注射器内に調剤し、注射器から患者に放射性医薬品を注射する間、種々の放射線シールドシステムが使用される。これらの放射線シールドシステムは、放射性材料を準備し、搬送し、注射し、受け取ることによって放射線への暴露を最小限とするようにしている。残念ながら、放射線シールド材料自体は重くなりがちで、シールドシステムの存在により、分厚い容器、蓋、注射器、及び、バイアルを手で扱うことが必要とされる。重量及び人間工学的な構成は、オペレータのために相対的な動作ストレスをもたらす。これらの嵩張ったシールドシステムを手動操作することにより、ディスペンサーを備えた注射器が、不適切あるいは取付不良で連結されたり、偶然に容器の蓋が外れたり、他の人的ミスが発生したりする可能性があり、その結果、非生産的な放射線の暴露が発生し得る。
【課題を解決するための手段】
【０００５】
本発明は、ある実施形態では、放射線シールド材料からなる、あるいは、少なくとも放射線シールド材料を含有する放射線シールド閉鎖部材（例えば、抽出シールド又は調剤シールド）にアクセスするためのシステム及び方法に関する。本発明の幾つかの態様は、放射線シールド閉鎖部材とカウンターフォース機構を備える。幾つかの実施形態での放射線シールド閉鎖部材は、放射性医薬品を受け取るように設計された収容部と、この収容部への開口を交差して、取り外し可能に配置されるカバーとを備える。カウンターフォース機構は、１以上の収容部又はカバーに付勢された状態で連結してもよい。幾つかの実施形態でのカウンターフォース機構では、位置決め可能な範囲が示されている。例えば、幾つかの実施形態では、カウンターフォース機構が閉鎖位置にあるとき、カバーは収容部の開口に交差するように配置してもよい。同様に、カウンターフォース機構が開放位置にあるとき、カバーは収容部の開口から離れるようにしてもよい（例えば、開口が開放されてもよい）。
【０００６】
出願当初の特許請求の範囲に記載された発明の範囲と同等なある態様が記載されている。これらの態様は、発明が取り得るある形状の概要を読者に提供するためだけに公表されており、これらの態様は本発明の範囲を制限するものでないことが理解されるはずである。確かに、本発明は後述していない種々の態様を包含してもよい。
【０００７】
本発明の第１の態様では、放射性医薬品システムが提供されている。このシステムは、第１放射線シールド材料からなる放射性医薬品収容部を備える。さらに、このシステムは、（前記第１放射線シールド材料と同じ又は異なる）第２放射線シールド材料からなり、放射性医薬品収容部内への開口部と交差して取外可能に配置できるカバーと、放射性医薬品収容部、カバー、又は、これらの組み合わせに付勢して連結されるカウンターフォース機構とを備える。因みに、「付勢して連結される」等は、連結の性質のため、構造物の他方（残り）に対して（例えば、向かってあるいは離れて）ある方向に付勢される少なくとも１つの構造によって特徴付けされる２以上の構造物の連結を指す。カウンターフォース機構は、カバーが開口と交差して配置される閉鎖位置と開口が開放される開放位置とを含む位置決め可能な範囲を提供する。
【０００８】
本発明の第２の態様では、放射性医薬品ディスペンサーが提供されている。放射性医薬品ディスペンサーは、第１放射線シールド材料を備えた放射性医薬品収容部と、第２放射線シールド材料を備え、放射性医薬品収容部内への開口と交差して取外可能に配置可能なカバーと、放射性医薬品収容部、カバー、又は、これらの組み合わせに付勢力を付与する付勢機構とを備える。さらに、放射性医薬品ディスペンサーは、付勢機構に連結した第１部と、放射性医薬品収容部、カバー、又は、これらの組み合わせに連結した第２部とを有する移動部材を備える。放射性医薬品収容部とカバーとの間の距離は、移動部材が第１位置にあるとき第１距離であり、第１位置とは異なる第２位置にあるとき第１距離よりも大きな第２距離である。
【０００９】
本発明の第３の態様では、放射性医薬品ディスペンサーを使用する方法が提供されている。この方法は、放射性医薬品ディスペンサーの第１構成要素で第１の方向に第１の力を付与することが含まれる。第１の力には、第１の方向にほぼ沿ったベクトル構成要素を有する第２の力が付加される。第１の力の付加は、放射性医薬品ディスペンサーの第２構成要素に対して第１構成要素を移動させるのには不十分である。しかしながら、第２の力と共に第１の力を補足することにより、第２構成要素に対して第１構成要素を移動させるのに十分となる。因みに、第１及び／又は第２構成要素は、１以上の適当な放射線シールド材料を含んでいてもよい。なお、第１及び第２構成要素はさらに放射性医薬品を収容するように協働する。
【００１０】
本発明の第４の態様では、放射性医薬品容器がベースに支持され、第１放射線シールド材料を備えている。放射性医薬品カバーは、放射性医薬品容器の開口で交差するように延びる第１位置と、開口から偏心した第２位置との間の通路に沿って移動可能に支持され、又、第２放射線シールド材料を備えている。放射性医薬品カバーは、第１位置に向かって付勢される。
【００１１】
種々の改良が本発明の種々の態様に関する上述の特徴に存在する。また、さらなる特徴が同様にこれらの種々の態様に組み込まれてもよい。これらの改良及び追加の特徴は、独立して、あるいは、組み合わせて存在してもよい。例えば、１以上の図示された実施形態について後述される種々の特徴は、単独でも、適宜組み合わせても、上述の本発明の態様のいずれかに組み込むようにしてもよい。上述の概要は、特許請求の範囲に記載された事項を限定することなく、読者に本発明のある態様と関係を認知させることだけを意図している。
【発明を実施するための最良の形態】
【００１２】
以下、本発明に係る１以上の実施形態を説明する。これら実施形態を簡単に説明するために、実際の装置のいくつかの特徴は、明細書には記載していない。そのような実際の装置の改良では、工学又はデザイン設計として、多数の装置の特徴を決定することにより、システム及びビジネスに関する制約に従うこと等、開発者の特別な目標が達成され、１つの装置を他の装置に変更してもよいことが理解される。そのような改良努力とは、これを開示する利益を有する当業者のために、一連の設計、制作、及び、製造の管理である。
【００１３】
以下に詳述する実施形態は、放射線シールド装置（例えば、抽出シールド又は調剤シールド）内にバイアルから放射性材料（例えば、放射性同位体）を抽出する際にユーザを補助するためのシステム及び方法に関する。例えば、図１は、バイアル３に収容され、かつ、カウンターフォース装置（例えば、工具平衡器）に連結された放射線シールド装置２（例えば、放射線をシールドされた容器）を備える、具体例としての持上補助された調剤システムを示す。因みに、「結合された」等は、通常、互いに直接又は間接的に連結された２以上の構成要素を指す。図１に示す実施形態では、カウンターフォース装置は、巻上装置４であり、それは取付可能な端部７（例えば、放射線シールド装置２に取り付けられるか、あるいは、少なくとも取付可能な端部）と、（例えば、望ましくは、引張及び少なくとも格納可能である）位置決め可能な範囲とを有する格納式コード６を備える。コード６は巻上装置２から延び、直接結合された連結リング８に取り付けられている。連結リング８は、適当な連結装置であれば何でもよい。例えば、連結リング８は硬質なものとすることができ、又、シールド装置２の洗浄位置から、（例えば、アイフックを介して）コード６に連結できる位置に回転させることが可能となる。コード６は、矢印１０で示すように、ある大きさの持上又は引張力で、巻上装置４内のバネ付勢された回転部（図示せず）に巻回してもよい。図示された実施形態では、コード６を介してシールド装置２の巻上装置４によって伝達される力１０は、中心に矢印１２を示すように、シールド装置２の重量以下（例えば、この重量よりも少ないか、ほぼ等しい）である。この力２が重量１２以下であるため、外力が重量１２に逆らって大きくなるような力が組み合わされなければ、放射線シールドカバー１４はシールド装置２の上面に留まる。持上力すなわち張力１０のため、ユーザは、シールド装置２を手で掴んで、より一層、簡単に持ち上げることができ、バイタルへのアクセスが容易となる。なお、図１は、巻上装置４としてのカウンターフォース装置を示すが、カウンターフォース装置の他の実施形態には、電気モータ、ギア機構、水圧機構、空気圧機構、てこ機構、及び／又は、他の適当な機構を含めるようにしてもよい。さらに、巻上装置４によってシールド装置２に伝達された力は、図示された実施形態のシールド装置２の重量１２以下となるように記載したが、実施形態には、シールド装置２の重量１２よりも大きな力を伝達する巻上装置が含まれる。
【００１４】
放射線シールド装置２及び放射線シールドカバー１４は、ここでは、シールド装置２及びシールドカバー１４としてのみ言及されているが、一般に、放射線を反射及び／又は吸収する適当な放射線シールド材料（例えば、鉛、タングステン、及び／又は、タングステン含浸樹脂）で構成してもよい。シールド装置２は、第１シールド材料で構成してもよいし、シールドカバー１４は、第２シールド材料で構成してもよい。幾つかの実施形態では、第１及び第２シールド材料は同じ材料であり、他の実施形態では、第１及び第２シールド材料は異なる材料である。本発明のシールド装置は、どのような形状及びサイズであってもよい。例えば、シールド装置２は、少なくとも幾つかの実施形態では、一般に、抽出シールド及び／又は調剤シールドとして言及されている。用語「抽出シールド」は、一般に、放射性同位体生成器から放射性同位体を抽出（又は抽出）する際に利用されるような放射線シールド装置を指す。用語「放射性同位体生成器」は、一般に、アルミナビードや他の適切な代替媒体に吸収されるモリブデン-99等の親放射性同位体を保持し、通常、溶液の状態で、（親放射性同位体から）娘放射性同位体を生成可能な放射線シールド容器である。代表的な抽出シールドは、通常、放射性同位体生成器から娘放射性同位体を受け取ることができる真空収集ボトル（例えば、バイアル３）を保持するのに適している。代表的な生成器において、溶離剤（例えば、無菌生理食塩水）が収容されたボトルは、通常、放射性同位体生成器の入口に取り付けられ、溶離剤が放射性同位体生成器を介して真空収集ボトル（例えば、バイアル３）へと循環することを可能としている。娘放射性同位体（例えば、テクネチウム-９９Ｍ）は、親放射性同位体に比べて化学的に弱く結合し、溶離剤が、放射性同位体生成器から収集ボトルに娘放射性同位体を流出可能とする。
【００１５】
放射性同位体は、収集されると、種々の放射性医薬品を生成するために、特別な化学製品と化合される。例えば、多くの放射性医薬品は、放射性同位体と、識別する（すなわち、標的にする）薬剤として言及された化学製品を化合することによって生成される。一般に、識別薬剤は、身体のある部分（例えば、特別な細胞又は組織のレセプター）に効果的に取り入れられ、及び／又は、結合され、身体の一部の映像化を補助し、及び／又は、処理する薬剤を指す。例えば、放射性医薬品の投与は、患者に対して注射器を使用して頻繁に行われる。これらの注射器には、（本分野では、「１ユニット投与」と言われている）一度の投与分を準備又は取得する放射性医薬品取扱者が注入してもよい。放射性医薬品は放射性があるため、ユーザ（例えば、投薬を準備及び／又は調剤する放射性医薬品取扱者）が放射能に暴露されるのを制限するのが望ましい。したがって、調剤シールドは、一般に、調剤処置中に使用される。用語「調剤シールド」は、通常、バイアルから注射器内に放射性同位体の溶液又は放射性医薬品を注入する際、技術者を保護するために、放射性同位体の溶液のバイアルを保持又は収容する放射線シールド装置を指す。調剤シールドは、少なくとも抽出シールドとほぼ同等であると言ってもよい。例えば、抽出シールド等の調剤シールドには、放射線シールド材料が含まれ、（例えば、放射性材料の搬送中）バイアルを保持するのに適している。さらに、抽出シールド等の一般的な調剤シールドは、バイアルに収容された放射性材料を調剤する際、放射線に過剰暴露されることからユーザを保護する。一般に、調剤シールドは、放射性材料が繰り返し回収される状況で利用される。例えば、放射性医薬品取扱者は、調剤シールド内に配置されたバイアルから１日に放射性医薬品を大量に（例えば、数１０又は数１００）を抽出している。
【００１６】
図２は、巻上装置４に連結された放射線シールド装置２の分解側面図であり、放射線シールド装置２は、巻上装置４によって支持された上昇位置に位置している。シールド装置２内に貯留された放射性医薬品へのアクセスは、シールド装置２の開口１６を介して行われ、その開口はシールドカバー１４によって覆われるようになっている。ユーザは、シールド装置２とシールドカバー１４の少なくとも一方を反対側に移動させることによって（シールド装置２内に配置された）バイアル内の放射性医薬品にアクセスできる。なお、用語「ＡとＢの少なくとも一方」は、本発明の明細書及び請求の範囲の文章において、Ａ、又は、Ｂ、又は、その組み合わせを意味している。例えば、図２に示すように、ユーザは、シールド装置２に向かって（シールド装置２の重量１２よりも小さい）補助力１８を付与することにより、放射性医薬品のバイタル３が収容されるシールド装置に利用するようにしてもよい。補助力１８は、巻上装置４によってシールド装置２に作用する力１０と兼用してもよい。巻上装置４が、既に上向きの力１０を作用させているので、ユーザは開口１６にアクセスするのに同じような力を作用させる必要がない。これは、（例えば、安全で効率的な）多くの理由のために有益である。例えば、非常に多くの抽出を行うことが必要とされる場合、繰り返し使用する際の弊害を抑えるため、シールド装置２内のバイアル３を取り出すのに必要とされる力を抑制することが有効となる。なお、補助力１８は、どのような方法（例えば、手動、電動、機械的等）であっても伝達することができる。例えば、補助力１８は、シールド装置２を単に（例えば、ユーザの手で）保持し、巻上装置４に向かってシールド装置２を移動させることによって伝達してもよい。
【００１７】
シールド装置２がシールドカバー１４から離間し、開口１６がアクセス可能となれば、ユーザは、開口１６を介して調剤シールド２に中空の注射器２０を挿入し、１投与分の放射性医薬品を注射器２０内に吸引すればよい。バイアル３から１投与分を吸引する間、ユーザは、力１８を付与するだけで調剤シールド２を持上続けることができ、又、図３に示すように、巻上装置４内のロック２２を使用してコード６を固定することも可能である。シールド装置２を上昇位置に固定することにより、ユーザは、放射性医薬品を、より簡単及び／又は正確に、バイアル３から注射器２０内に吸引することができる。固定位置の１つの特徴は、力１０が重力１２と釣り合うことであると言ってもよく、それによれば、ユーザが補助力１８を付与する必要がなくなる。さらに、図４に示すように、放射性医薬品へのアクセスは、力２６を付与し、角度２４で、シールド装置２を傾斜させることにより、容易なものとしてもよい。投与薬の取得中、及び、ロック２２を解除した後、シールド装置２は、シールドカバー１４の上面に戻してもよい。この抽出処理の間、シールド装置２は放射性医薬品から放射線を反射及び／又は吸収するのが好ましく、この結果、ユーザが放射線に暴露されにくくなる。
【００１８】
図５は、他の実施形態を示す。連結リング８（例えば、Ｄリング）は、シールド装置２の上部の中心軸２８から離れた位置に配設されている。図５に示すように、コード６は、アイフック３０を有し、アイフック３０を連結リング８に取り付けるために、（矢印３２で示すように）巻上装置４から引き出されている（例えば、外に出されている）。連結されれば、巻上装置４により、偏心した連結リング８を介してシールド装置２に持上力を作用させればよい。これにより、通常、シールド装置２の中心軸２８（及び部材の中心）から離れて力が作用する。また、ユーザが力１０に加えて補助力１８を作用させると、シールド装置２は、図６に示すように、垂線に対して角度３４を有する位置へと傾斜する。この傾斜位置により、図７に示すように、放射性医薬品を抽出する際、注射器２０に容易にアクセス可能となる。さらに、図８に示すように、ロック２２は、注射器２０によって、より一層アクセス容易となる角度３４でシールド装置２を保持するのを補助するために利用することができる。
【００１９】
図９は、他の実施形態を示す。連結リング８（例えば、Ｄリング）は、シールド装置２の側部の中心軸２８（及び部材の中心）から離れた位置に配設されている。図９に示すように、コード６は、アイフック３０を有し、アイフック３０を連結リング８に取り付けるために、（矢印３２で示すように）巻上装置４から引き出すようにしてもよい。連結されれば、巻上装置４は、偏心した連結リング８を介してシールド装置２に持上力１０を作用させればよい。再び、力１０は、シールド装置２の中心軸（及び部材の中心）から離れて作用するようになる。また、ユーザが力１０に加えて補助力１８を作用させると、シールド装置２は、図１０に示すように、垂線に対して相対的にある角度３４を有する位置へと傾斜する。さらに、シールド装置２の側方の連結リング８について図示された形状は、軸２８に沿って持ち上げる場合と比較して角度３４を増大させるのに役立つ。
なお、リング８の位置は、注射器２０へのアクセスが容易となるように、予めある角度の位置へとシールド装置２を傾斜させるために、軸２８（部材の中心）に対して種々の位置に調整することが可能である。
【００２０】
図１１は、さらに他の実施形態を示す。連結リング８は、取外可能な構成部品である、スリーブすなわちシース３６となっている。シース３６は、巻上装置４と使用するために既存のシールド装置２を改良するのに特に有効である。図示された実施形態では、シース３６は、シールド装置２の基部３８をスライドし、シールド装置２の口部３９と適合することによりシールド装置２に連結される。巻上装置４は、シース３６の連結リング８に連結され、シース３６を介してシールド装置２に上方への力１０を作用させる。図示した実施形態において、ユーザは、下方にスライドさせることによりシース３６を取り除き、基部３８から離すことができる。例えば、シース３６は、シールド装置２の周囲にクランプするか、あるいは、ネジ結合によって取り付けることができる。また、他の実施形態には、シース３６のための他の適切な設計が含まれる。すなわち、本発明の範囲には、シールド装置２に力を付与可能とするために、シールド装置２に連結される全ての装置が含まれる。さらに、図示された実施形態では、シールド装置２の頂部近くで、中心軸２８から離れて配置される連結リング８が示される一方、シース３６の他の実施形態では、シールド装置２に対して連結リンクを適切な位置に配置することが可能となっている。例えば、図１〜１０に示された各実施形態では、シース３６により所望の方向に連結リング８を提供することが可能である。
【００２１】
図１２は、引き上げ補助された調剤システムとして特徴を有するレバレッジ工具４０を示す。このレバレッジ工具４０は、シールド装置２の持上及び位置決めを目的とし、注射器２０を使用する開口１６を介して放射性材料の抽出を補助するのに適したカウンターフォース装置である。特に、レバレッジ工具４０は、ベース４２、カバーすなわちキャップ４４、レバー４６、安全アーム４８、及び、容器サポート５０を備える。図示されたベース４２及びキャップ４４は、レバレッジ工具４０が閉鎖位置（点線）で、そこに配設された放射性材料と共にシールド装置２を保持する際、ユーザが放射線に晒されるのを抑えるために、放射線シールド材料で構成されている（少なくとも含んでいる）。容器サポート５０は、シールド装置２を受け止め、支持し、取外可能に連結する。図示のように、容器サポート５０は、一対の対向する半円筒容器５１を備え、シールド装置２の外周面に係合するような形状及び大きさに形成されている。また、上方リップ３９は、容器５１に隣接する一方の容器サポート５０に設けられている。安全アーム４８は、レバー４６と協働し、容器サポート５０（及びシールド装置２）を、シールド装置２の閉鎖位置（実線）と上昇及び開放位置（２点鎖線）との間で、湾曲通路を移動して回転する。動作時、レバー４６及び安定アーム４８は、（例えば、閉鎖位置、開放位置、及び、これらの間を含む）配置可能な範囲内で、ベース４２及び容器サポート５０に設けた旋回ジョイント５２を中心として回転する。レバー４６に十分な力が作用すると、矢印５４で示すように、レバレッジ工具４０は、サポート５０を、下方／閉鎖位置（実線）からキャップ４４から離れた、開放／上方位置（２点鎖線）へと上昇させる。これにより、ユーザは、注射器２０を使用するシールド装置２の内部から放射性材料を、迅速及び／又は容易に抽出することが可能となる。レバレッジ工具４０は、シールド装置２と開口１６を、所望の方向、例えば、注射器２０及びバイアル３の視認、芯出、及び、連結を容易にするような略水平角（又は、水平角の近傍）に位置決めする間、シールド装置２を移動させるのに必要な力を抑制する。図１２〜１３に示す実施形態では、シールド装置２は、開放及び閉鎖位置の間の略アーチ状の経路を移動する。また、種々の力が直線の矢印で示されているが、アーチ状に方向付けされた力は（他の方向の力と同様に）うまく作用する。
【００２２】
レバレッジ工具４０を利用する際、シールド装置２を持ち上げる力５４は、種々の異なる機構により付与することができる。例えば、ユーザは、シールド装置２を上昇させるのに必要な力５４を付与するために、手でレバー４６の端部を押圧するだけでよい。しかしながら、上述のように、シールド装置２によっては、重量の大きな材料で構成されているので、ユーザがシールド装置２を持ち上げる際の力が軽減されるだけでよい。例えば、ユーザが、抽出処理中に、シールド装置２を持ち上げるために必要な力を抑制できれば、反復使用での怪我や事故を回避し、より確実に実行することが可能となる。また、ある実施形態では、レバレッジ工具４０に持上補助機構を含めるようにしてもよい。例えば、図１３は、レバー４６とベース４２の間でレバレッジ工具４０に連結されるスプリング５６を示し、それによりシールド装置２のウェイト１２に対して少なくとも部分的に反対側へとレバー４６に力５４を付与する。同様に、図１４は、レバー４６の外端に連結されるカウンターフォースウェイト５８を示し、それによりシールド装置２のウェイト１２に対して少なくとも部分的に反対側へとレバー４６に力５４を作用させる。このように、スプリング５６及びウェイト５８は共に持上補助機構として作動する。確かに、図示された実施形態では、スプリング５６及びウェイト５８によって補助されたレバレッジ工具４０は、シールド装置２のウェイト１２以下の（すなわち、小さいか、あるいは、等しい）カウンター力５９を作用させる。例えば、シールド装置２が５ポンドであれば、スプリング５６又はウェイト５８は、力５９がほぼキャップ４４から離間する方向でシールド装置２に作用する５ポンド以下となる。これにより、ユーザは、持上補助機構による補助力を作用させることにより、開口１６及びバイアル３にアクセスできるようにシールド装置２を比較的容易に持ち上げることが可能となる。
【００２３】
図１５は、ほぼハンドフリーでの操作のために、持上補助機構６０及び足操作トリガ（例えば、フットペダル）を備えたレバレッジ工具４０を示す。図示された実施形態では、持上補助機構６０は、キャップ４４から離れた開口位置に向かってシールド装置２に付勢力５４を作用させるスプリング５６である。しかしながら、付勢力５４は、補助力を作用させることなく、シールド装置２のウェイト１２を持ち上げるのには十分でなくてもよい。また、足操作トリガ６２は、シールド装置２をアクセス可能な上昇位置（２点鎖線）に上昇させるために、スプリングの付勢力５４を組み合わせた補助力６３を提供するように形成してもよい。補助力を提供するのに使用可能な、足操作トリガのどのような設計であっても本発明の範囲である。さらに、足操作トリガ６２がレバレッジ工具４０の構成要素として示しているが、本発明の種々の態様及び実施形態には、適当な足操作トリガを含めるようにしてもよい。図示された実施形態において、足操作トリガ６２には、チューブ６８を介して移動可能に延びるケーブル６６に取り付けるフットペダルが含まれる。ペダル６４が駆動すると（例えば、押し下げられると）、チューブ６８を介してフットペダル６４に向かって内方にケーブル６６を引っ張るすなわち収縮させる。フットペダル６４の反対側の端部では、ケーブル６６をレバー４６（及び／又はレバレッジ工具４０の他の適当な部位）に連結してもよい。これにより、ケーブル６６は、フットペダル６４が押し下げられると、レバー４６に下方への力６３を作用させる。一般に、この力６３は、持上補助機構６０によって付与される力５４に加えて、レバレッジ工具４０によりシールド装置２を開放上方位置へと上昇させる。なお、幾つかの実施形態では、レバレッジ工具４０は、シールド装置２がある位置に到達すると、（手動及び／又は自動で）係合するロック機構７０（例えば、スプリング操作されたラッチ）を備えている。ロック機構７０は、ユーザによって離脱されるまで、シールド装置２を位置決めする。例えば、幾つかの実施形態のロック機構７０は、シールド装置２を閉鎖下方位置に位置決めし、そこに収容された放射性材料に暴露される可能性を抑え、及び／又は、シールド装置２をアクセス可能な上昇位置に位置決めし、シールド装置２内から放射性材料の回収を容易とする。
【００２４】
図１６は、カウンターフォース放射性医薬品の調剤、又は、持上補助された調剤スタンド８０の一実施形態を示す斜視図である。図示された調剤スタンド８０は、シールド装置２を、快適な作業高さと、開口１６を介してバイアル３から放射性材料を調剤する誘導角度とに位置決めする。シールド装置２を保持するための全ての高さ及び方向は本発明の範囲に含まれるが、その範囲に限定されるものではなく、種々の、一般的な上方向、下方向、及び、水平方向が含まれる。調剤スタンド８０は、ベース８２、容器サポート８４、スプリング付勢装置８６、回転アーム８８、及び、カバー／スプリングガイド９０を備える。図示された実施形態では、アーム８８は、一端にベース８２を回転可能に連結され、他端にスプリングガイド９０を連結されている。なお、「回転可能な連結」等は、通常、種々のタイプの連結を指し、適切な力が作用した際、少なくとも回転等の動きに耐えるように構成され、制限されることなく、全ての連結を含み、少なくともほぼ中心軸の回りを移動（例えば、回転）するような構造又は位置となっている。軸回転に加えて、典型的な回転可能な連結も又、相対運動（例えば、ヒンジ結合、及び／又は、ボール及びソケット結合）の少なくとも一部分の間での相対移動としての使用と同様に、構造又はその一部の柔軟又は弾性変形としての使用を含める。アーム８８は、開放位置、閉鎖位置及びその間の位置を含む（例えば、略アーチ状通路に沿う）位置決め範囲を有する。スプリング８６は、アーム８８を上方に付勢し、力８９を発生させ、アーム８８が容器サポートに向かって上方に回転するように傾斜し、注射器ガイド９０がシールド装置２の開口１６をブロックする。図１７に示す閉鎖位置では、注射器ガイド９０は、適当な放射性シールド材料を含んでおり、ユーザがシールド装置２に収容される放射性材料に暴露される可能性を軽減する。なお、図示された実施形態では、スプリング８６を操作アーム８８に作用させているが、他の実施形態では、異なる機構（例えば、移動機構、レバー、及び／又は、他の適当な力付与機構）がアーム８８に所望の力８９を作用させるのに使用される。例えば、スプリング８６は、水力学、気力学、てこ機構、電動駆動等に置き換えるか、あるいは、補助させることが可能である。
【００２５】
開口１６にアクセスして注射器２０を使用し、シールド装置２内のバイアルから１投与分の放射性医薬品を回収するため、ユーザは、図１８に示すように、（例えば、ストッパ９１に対して）少なくとも開放位置に向かってほぼ下方側に注射器ガイドを押圧することによりスプリング８６を圧縮するようにしてもよい。この開放位置では、注射器ガイド９０は、シールド装置２内のバイアル内に、注射器２０（例えば、中空の針）を調整して整列・挿入するのに利用できる。例えば、図１８の実施形態では、注射器ガイド９０は、注射器２０の形状及び大きさに合う（例えば、嵌合する）ように形成された溝９２を備える。また、ユーザは、（例えば、ストッパ９１に対して）注射器ガイド９０を開放位置に押し込んで、注射器２０を溝９２内に配置（例えば、注射器２０を溝９２に沿ってスライド）させることができる。溝９２は、少なくとも１つの特徴として、シールド装置２の開口１６に沿った予め決められた経路に沿って注射器を方向付けるものであればよく、注射器２０（及び中空針）は、シールド装置２内の放射性材料を収容するバイアル３に適切に係合する。ユーザによっては、針刺しの懸念を軽減し、効率性を改善し、及び／又は、放射線の暴露を抑制するようになる点に、設計上の利点を見い出すかもしれない。
【００２６】
注射器２０の挿入及び取外を容易にし、及び／又は、望まない放射線への暴露を防止するため、調剤スタンド８０は、注射器ガイド９０をロックできるように、ロック９４（例えば、スプリング付勢されたラッチ）を備えてもよい。例えば、ユーザは、注射器ガイド９０を図１８に示す開放位置に移動させれば、注射器ガイド９０がロックされるので、片手又は両手を使用して注射器２０に放射性医薬品を回収することができる。これに代えて、あるいは、これに加えて、注射器ガイド９０は、シールド装置２の開口１６を覆ってシールするように、図１７に示す閉鎖位置にロックすることができる。なお、少なくとも一時的に上述のロック機能を提供することができる全てのロック機構は、本発明の範囲に含まれる。ロック９４を採用可能であるところから明らかではあるが、調剤スタンド８０の幾つかの実施形態では、力付与機構（例えば、スプリング８６）は備えていなくてもよい。この場合、アーム８８の位置は、ユーザがアーム８８をロックする位置に依存させるようにしてもよい。しかしながら、注射器ガイド９０は、一連のプロセスで、閉鎖位置に付勢された状態に維持され、注射器ガイド９０が、注射器２０を取り外した状態で、自動的に、保護する閉鎖位置へと復帰するのが好ましい。
【００２７】
図１９は、図１８の調剤スタンド８０の側面図を示し、詳しくは、注射器ガイド９０とは反対側で注射器２０に当接する、付加的な（オプションの）上方ガイド９６を示す。換言すれば、上方ガイド９６の位置は、（例えば、注射器２０がシールド装置２のバイアルから放射性流体を吸引するのに利用する際）注射器２０が注射器ガイド９０と上方ガイド９６の間に配設されるような位置であればよい。１つの点では、上方ガイド９６が、不適切な及び／又は望まない角度で、（例えば、アーム８８及び注射器ガイド９０が開放位置に移動するまで、注射器２０の中空針が実質的にバイアル内に挿入されることを防止することによって）注射器２０をシールド装置２内のバイアルに挿入する可能性を抑える。部分的に開放した位置では、ガイド９０と９６の間隔は、注射器２０を挿入するのに十分である。完全に開放した位置では、ガイド９０と９６の間隔は、注射器２０の形状及び大きさにぴったりと合っている。このため、傾けたり、位置を変更したりすることなく、シールド装置２の開口１６に向かって真っ直ぐに、注射器２０（及び中空針）を希望通りに案内することが容易となる。注射器ガイド９０が位置決めされるか否かの取付不良挿入に関する不具合が発生する可能性が軽減されるので、ユーザによっては、この特徴の利点を理解するかもしれない。
【００２８】
図２０は、放射性同位体を利用した抽出システムを使用する実験的な原子核医療プロセスを示すフローチャートである。図示されるように、プロセス１００は、ブロック１０２で原子核医療のための放射性同位体を提供することによって開始される。例えば、ブロック１０２には、上述するように、放射性同位体生成器からテクネチウム−９９を抽出することが含まれる。また、放射性同位体の提供（ブロック１０２）には、本発明に係る調剤システムを使用した放射性同位体の回収が含まれる。ブロック１０４では、プロセス１００が患者の特定部位（例えば、特定の細胞や組織）を標的とするように標識薬を提供することによって進行する。例えば、ブロック１０４には、赤血球を目立たせる標的薬、ピロリン酸塩の提供を含めるようにしてもよい。ブロック１０６では、プロセス１００は、原子核医療のための放射性医薬品を提供する、放射性同位体への標的薬の化合が含まれる。放射性同位体と標的薬を化合するための種々のプロトコルは公知である。
【００２９】
図２０は、放射性同位体を利用した抽出システムを使用する実験的な原子核医療プロセスを示すフローチャートである。図示されるように、プロセス１００は、ブロック１０２で原子核医療のための放射性同位体を提供することによって開始される。例えば、ブロック１０２には、上述するように、放射性同位体生成器からテクネチウム−９９を抽出することが含まれる。また、放射性同位体の提供（ブロック１０２）には、本発明に係る調剤システムを使用した放射性同位体の回収が含まれる。ブロック１０４では、プロセス１００が患者の特定部位（例えば、特定の細胞や組織）を標的とするように標識薬を提供することによって進行する。例えば、ブロック１０４には、赤血球を目立たせる標的薬、ピロリン酸塩の提供を含めるようにしてもよい。ブロック１０６では、プロセス１００には、原子核医療のための放射性医薬品を提供する、放射性同位体への標的薬の結合が含まれる。放射性同位体と標的薬を結合するための種々のプロトコルは公知である。例えば、ブロック１１２には、脳、心臓、肝臓、腫瘍、癌組織、あるいは、他の種々の器官又は損傷した組織に配置される放射性同位体を検出するために、ガンマカメラや他の放射性撮像装置の使用が含まれる。
【００３０】
図２１は、原子核医療での使用で、放射性医薬品の注射器を準備するための典型的なシステム１２０のブロックダイアグラムである。図示されるように、システム１２０には、上述のように、放射性同位体生成器１２４を備えた放射性同位体抽出アセンブリ１２２、抽出供給容器１２６、及び、排出容器１２８を備える。また、システム１２０は、放射性医薬品生成システム１３０を備え、そのシステムは放射性同位体１３２（例えば、放射性同位体抽出工具１２２によって生成されるテクネチウム−９９ｍ）を標的薬１３４に結合させるように機能する。その結果、放射性医薬品生成システム１３０は、ブロック１３６によって示されるように、放射性同位体１３２及び標的薬１３４を含む放射性医薬品を生成する。また、図示されたシステム１２０には、バイアル又は注射器１４２への放射性医薬品の抽出を容易にする、適切な放射性医薬品ディスペンサー１４０（例えば、図１〜１９のディスペンサーの１つ）を利用する放射性医薬品調剤システム１３８が含まれる。ある実施形態では、システム１２０の種々の構成要素及び機能が放射性医療で利用されており、原子核医療での使用のために放射性医薬品の注射器１４２が準備されている。例えば、注射器１４２は、患者の診断や処置で使用するため、医療機関に準備・配送してもよい。図２１は原子核医療で使用する放射性医薬品の注射器を準備するためのシステム１２０の一例を示すが、本発明の調剤装置は、全ての適切な注射器準備システムでの使用のために、調剤放射性材料を補助するのに利用してもよいことが理解される。
【００３１】
図２２は、図２１のシステム１２０によって生成される放射性医薬品の注射器１４２を利用する典型的な原子核医療撮像システム１５０のブロックダイアグラムである。原子核医療撮像システム１５０には、シンチレーター１５４と光検出器１５６を有する放射線検出器１５２が含まれる。患者１６０の標的となる器官から放出される放射線により、シンチレーター１５４は、光検出器１５６によって検出されて電気信号に変換される光を出力する。また、図示しないが、撮像システム１５０には、放射線検出器１５２に向けられた放射線１５８を平行にするためのコリメータが含まれる。検出器の捕捉回路１６２は、通常、放射線検出器１５２からの電気信号の捕捉を制御する。撮像生成回路１６４は、電気信号を生成し、検査プロトコルを実行する等のために使用してもよい。また、図示された撮像システム１５０には、画像生成回路１６４と他の撮像システム１５０の構成要素とユーザとの対話を容易にするためのユーザインターフェース１６６が含まれる。この結果、撮像システム１５０は、患者１６０の標的器官の画像１６８を生成する。前述の処置及び得られた画像１６８は、本発明の調剤システムを使用して、放射性医薬品の抽出から直接利益を得る。図２２は、撮像システム１５０の一例を示すが、本発明の調剤システムは、全ての適切な撮像システムを使用するために放射性材料を調剤するのを補助するために利用してもよいことは明らかである。
【００３２】
本発明は、種々の変形や代替形状が可能であるが、特定の実施形態が、一例として図面に示されており、その詳細が記載されている。しかしながら、本発明は記載された特定の形状に限定されることを意図するものではない。むしろ、本発明には、後述する添付クレームによって構成される本発明の意図及び範囲に合った、全ての変形、同等なもの、及び、代替物が含まれる。
【図面の簡単な説明】
【００３３】
【図１】巻上装置に連結された放射線シールド装置を有するシステムの一例を示す側面図である。
【図２】さらに注射器を受け取る上昇位置でのシールド装置を示す、図１の巻上装置に連結された放射線シールド装置の側面図である。
【図３】さらにロック機構を示す、図２の巻上装置に連結される放射線シールド装置の側面図である。
【図４】さらに注射器と放射線シールド装置の間の連結を容易にする上昇及び傾斜位置でのシールド装置を示す、図３の巻上装置に連結された放射線シールド装置の側面図である。
【図５】中心軸から離れたシールド装置の頂部とシールド装置の重心とに配置される連結リングに向かって降下する巻上装置のケーブルを示す、放射線シールド装置の他の実施形態の分解側面図である。
【図６】さらに連結リングの偏心位置により、シールド装置が傾斜位置に向かう、部分的な上昇位置でのシールド装置を示す、図５の放射線シールド装置に連結した巻上装置の側面図である。
【図７】さらに注射器と放射線シールド装置の間の連結を容易にする上昇及び傾斜位置での放射線シールド装置を示す、図６の放射線シールド装置に連結された巻上装置の側面図である。
【図８】さらに上昇位置で巻上装置とシールド装置を固定するロック機構を示す、図７の放射線シールド装置に連結される巻上装置の側面図である。
【図９】中心から離れたシールド装置の側部とシールド装置の重心とに配置される連結リングを示す、放射線シールド装置の他の実施形態に係る分解側面図である。
【図１０】さらに注射器と放射線シールド装置の間の連結を容易にする上昇及び傾斜位置での放射線シールド装置を示す、図９の放射線シールド装置に連結される巻上装置の側面図である。
【図１１】シールド装置の中心軸（及び重心）から離れた位置で巻上装置に連結するための連結リングを備え、シールド装置に連結するのに適したシースの分解側面図である。
【図１２】シールド装置を保持するレバレッジ工具の一例の斜視図である。
【図１３】さらにカウンタースプリングによって付勢されたリフト補助機構を示す、図１２のシールド装置を保持するレバレッジ工具の側面図である。
【図１４】さらにカウンターウェイトによって付勢されたリフト補助機構を示す、図１２のシールド装置を保持するレバレッジ工具の側面図である。
【図１５】さらにリフト補助機構及び足操作トリガを示す、図１２のシールド装置を保持するレバレッジ工具の側面図である。
【図１６】閉鎖位置でシールド装置を保持する調剤スタンドの一例を示す斜視図である。
【図１７】図１６のシールド装置を保持する調剤スタンドの側面図である。
【図１８】さらにシールド装置の開口に整列されて挿入される方向で注射器を保持する注射器ガイドを示す、開放位置でのシールド装置を保持する図１６の調剤スタンドの側面図である。
【図１９】さらに注射器ガイドとは反対側の注射器の近傍に配置される上方ガイドを示す、図１８のシールド装置及び注射器を保持する調剤スタンドの側面図である。
【図２０】図１〜１９の調剤システムを利用する原子核医療プロセスの一例を示すフローチャートである。
【図２１】図１〜１９の調剤システムを使用して得られる放射性医薬品の、注射器等の容器を生成するためのシステムの一例を示すブロックダイアグラムである。
【図２２】図２１の放射性医薬品の注射器を利用する原子核医療撮像システムの一例を示すブロックダイアグラムである。
【符号の説明】
【００３４】
２…放射線シールド装置
３…バイアル
４…巻上装置
６…格納式コード
８…連結リング
１４…シールドカバー
２０…注射器
４０…レバレッジ工具
４２…ベース
４４…キャップ
４６…レバー
４８…安全アーム
５０…容器サポート
５２…旋回ジョイント
６０…持上補助機構
８０…調剤スタンド
８２…ベース
８４…容器サポート
８６…スプリング付勢装置
８８…回転アーム
９０…ガイド
９４…ロック
１３０…放射性医薬品生成システム
１３２…放射性同位体
１３４…標的薬
１３８…放射性医薬品調剤システム
１４０…放射性医薬品ディスペンサー
１４２…注射器
１５０…原子核医療撮像システム
１５２…放射線検出器
１５４…シンチレーター
１５６…光検出器
１６０…患者
１６４…画像生成回路
【図１】
2009502344.tif 000003
【図２】
2009502344.tif 000004
【図３】
2009502344.tif 000005
【図４】
2009502344.tif 000006
【図５】
2009502344.tif 000007
【図６】
2009502344.tif 000008
【図７】
2009502344.tif 000009
【図８】
2009502344.tif 000010
【図９】
2009502344.tif 000011
【図１０】
2009502344.tif 000012
【図１１】
2009502344.tif 000013
【図１２】
2009502344.tif 000014
【図１３】
2009502344.tif 000015
【図１４】
2009502344.tif 000016
【図１５】
2009502344.tif 000017
【図１６】
2009502344.tif 000018
【図１７】
2009502344.tif 000019
【図１８】
2009502344.tif 000020
【図１９】
2009502344.tif 000021
【図２０】
2009502344.tif 000022
【図２１】
2009502344.tif 000023
【図２２】
2009502344.tif 000024
【国際調査報告】
2009502344.tif 000025
2009502344.tif 000026
2009502344.tif 000027